(57)【要約】【課題】保温性に優れ、軽量なポータブル断熱タンクを提供する。【解決手段】開口を有するプラスチック容器と、前記開口の蓋をする蓋体と、前記プラスチック容器の外表面に設けられた、発泡樹脂からなる被覆層と、を備えるポータブル断熱タンク。前記被覆層は、発泡ポリウレタンからなり、且つ、その厚みが１０〜３０ｍｍである構成とすることが好ましい。また、発泡ポリウレタン被覆層は、スプレーにより前記プラスチック容器の外表面に塗着されていることが好ましい。【選択図】図１
0003180783.tif 000002
【実用新案登録請求の範囲】
【請求項１】
開口を有するプラスチック容器と、
前記開口の蓋をする蓋体と、
前記プラスチック容器の外表面に設けられた、発泡樹脂からなる被覆層と、
を備えるポータブル断熱タンク。
【請求項２】
前記被覆層は、発泡ポリウレタンからなり、且つ、その平均厚みが１０〜３０ｍｍであり、
前記プラスチック容器は、把手を有し、当該把手には発泡樹脂からなる被覆層が形成されていない、
ことを特徴とする請求項１に記載のポータブル断熱タンク。
【請求項３】
前記被覆層の表面の少なくとも底部は、こてにより表面ならしがなされている、
ことを特徴とする請求項１又は２に記載のポータブル断熱タンク。
【請求項４】
前記被覆層は、発泡樹脂がスプレーにより前記プラスチック容器の外表面に塗着されてなるものである、
ことを特徴とする請求項１、２又は３に記載のポータブル断熱タンク。
【考案の詳細な説明】
【技術分野】
【０００１】
本考案は、液体を保存するポータブル断熱タンクに関する。
【背景技術】
【０００２】
近年、さまざまなアウトドアレジャーを行う人々が増加している。サーフィン、ウインドサーフィン、釣りなどのマリンレジャーについても、季節を問わずに行われるようになっている。
【０００３】
アウトドアレジャーは、一般に満足感・爽快感が得られるが、屋内レジャーに比較して身体が汚れ易く、特にマリンレジャーは潮水や砂を被るため身体が汚れる。このため、マリンレジャーを楽しんだ後は身体を真水で洗う必要がある。そうしないと、レジャー後の爽快感が得られないと共に、帰途に際して汚れた身体で自家用車や電車内を汚すことにもなる。
【０００４】
しかし、マリンレジャーを行う場所には、海水浴場などの特定の海辺以外には給水施設はない。しかも海水浴場の給水施設や海辺の休憩所は、海水浴シーズン以外のシーズンには開いていないのが普通である。温暖な季節であれば、自らでポータブルタンクなどで水を用意しておき、この水で身体を洗うことも不可能ではないが、暑いサマーシーズン以外のシーズンに、冷え切った身体を冷たい水で洗うのはつらいことである。
【０００５】
他方、魔法瓶などでお湯を持ち運ぶことができるが、大量のお湯を持ち運ぶことはできない。また、魔法瓶やこれに類する保温容器は比較的高価であり、且つ壊れやすいので丁寧に取り扱わなければならず、ワイルドに大量のお湯を運ぶ容器として適当でない。
【０００６】
このようなことから、ワイルドなレジャーを好む人々は、耐久性があり、安価で、簡便に持ち運びできるポータブル断熱タンクの出現を待ち望んでいる。
【０００７】
特許文献１には、発泡樹脂材料を用いた断熱容器に関する技術が提案されており、特許文献１は、その一部に発泡層を含み、上部開口を有するプラスチック製外側容器と、上部開口を有する外側容器内に配置されたプラスチック製内側容器と、外側容器の上部開口に設けられたプラスチック製蓋と、を備えているプラスチック製断熱性容器を開示している。
【先行技術文献】
【特許文献】
【０００８】
【特許文献１】特開２０１０−２２２０３７号公報
【０００９】
しかし、特許文献１は、マリンレジャーを行う人々の期待に応えるものではなく、飲料用の断熱性容器に関するものであり、特許文献１は、身体を洗浄するほどの多量の液体を収容することを考慮していないし、ラフな取扱いを想定していない。
【考案の概要】
【考案が解決しようとする課題】
【００１０】
本考案は、ワイルドなレジャーを好む人々の要望に鑑みなされたものである。本考案は、多量の液体を簡便に収容可能であり、断熱性・保温性に優れ、且つ軽量で持ち運びが容易で、ラフな取扱いにも耐えるポータブル断熱タンクを提供することを目的とする。
【課題を解決するための手段】
【００１１】
上記課題を解決する本考案は、開口を有するプラスチック容器と、前記開口の蓋をする蓋体と、前記プラスチック容器の外表面に設けられた、発泡樹脂からなる被覆層と、を備えるポータブル断熱タンクである。
【００１２】
この構成では、発泡樹脂からなる被覆層は断熱作用を有するので、被覆層の内側のプラスチック容器内部の液体を保温することが可能である。また、プラスチック容器や被覆層は軽量であり容器自体が軽いので、多量のお湯を入れた場合における持ち運び性が優れる。また、プラスチック容器は一定の剛性を有するので、ポータブル断熱タンクの強度が保たれるとともに、被覆層によって、プラスチック容器の耐衝撃性を高めることができる。
【００１３】
上記構成において、前記被覆層は、発泡ポリウレタンからなり、且つ、その平均厚みが１０〜３０ｍｍであり、前記プラスチック容器は、把手を有し、当該把手には発泡樹脂からなる被覆層が形成されていない構成とすることができる。
【００１４】
発泡ポリウレタンからなる被覆層の厚みが薄すぎると、保温性が不十分となるおそれがあり、厚すぎると持ち運び性が害されるおそれがある。このため、発泡ポリウレタンからなる被覆層の平均厚みは、１０〜３０ｍｍの範囲内に規制する。
【００１５】
また、この構成では、プラスチック容器に把手を設け、当該把手に発泡樹脂からなる被覆層を形成しないようにしている。この構成であると、持ち運びし易く、しかも十分な断熱性を有するポータブル断熱タンクを実現できる。
【００１６】
ここで、上記発泡樹脂としては、発泡スチレン、発泡ポリエチレン、発泡ポリプロピレン、発泡ポリウレタン等が好適である、中でも発泡ポリウレタン（ウレタンフォーム）は、入手が容易で安価であるので、被覆層の材料として好適である。
【００１７】
上記構成において、被覆層の表面の少なくとも底部は、こてにより表面ならしがなされている構成とすることができる。
【００１８】
こてによる表面ならしは、全表面に対して行うものでもよく、一部の面のみ行うものでもよいが、容器の転倒を防止するために、底面に表面ならしを行うのが好ましい。なお、全表面に対してならしを行うと、表面が平滑化するので見てくれが良くなると共に、収納や持ち運びが行いやすくなる。
【００１９】
上記構成において、前記被覆層は発泡樹脂がスプレーにより前記プラスチック容器の外表面に塗着されてなるものである構成とすることができる。
【００２０】
被覆層は、発泡樹脂板をプラスチック容器表面に張り付けることによっても形成できるが、スプレーによりプラスチック容器表面に塗着する方法が簡便で生産性が高いので、好ましい。
【００２１】
また、プラスチック容器としては、特に限定されることはなく、市販のプラスチック容器を使用できる。例えば、ポリエチレン、ポリプロピレン、ポリエチレンテレフタレート等からなる容器を使用できる。また、その容量は、特に限定されることはないが、５Ｌ以上であることが好ましく、１０Ｌ以上であることがより好ましく、１８Ｌ以上であることがさらに好ましい。
【００２２】
また、蓋体表面は、蓋体の取り外しを容易にするために、被覆層を設けないことが好ましく、より好ましくは蓋体の取り外しに支障のない形で被覆層を設けるのが好ましい。
【００２３】
また、上記各構成にかかるポータブル断熱タンクは温水の保存のみならず、冷水の保存にも適することは勿論である。
【考案の効果】
【００２４】
以上に説明したように、プラスチック容器の外側表面に発泡樹脂製の被覆層を形成する本考案によると、容器と被覆層という２つの主要構成要素がプラスチックからなるものであるので両部材間の密着接合性がよく、かつプラスチックは軽量であるので、耐久性及び軽量性、保温性・断熱性に優れたポータブル断熱タンクを生産性よく安価に実現することができる。
【図面の簡単な説明】
【００２５】
【図１】図１は、本考案に係るポータブル断熱タンクを示す図であって、図１（ａ）は斜視図、図１（ｂ）は図１（ａ）のＡ−Ａ線矢視断面図である。
【図２】図２は、本考案に係るポータブル断熱タンクに用いるプラスチック容器の斜視図である。
【図３】図３は、被覆層作製工程を示す斜視図である。
【図４】図４は、こてによる表面ならしを示す斜視図である。
【考案を実施するための形態】
【００２６】
以下、図面を参照して本考案の実施の形態について説明する。図１は、本考案に係るポータブル断熱タンクを示す図であって、図１（ａ）は斜視図、図１（ｂ）は図１（ａ）のＡ−Ａ線矢視断面図である。
【００２７】
図１（ａ）、（ｂ）に示すように、ポータブル断熱タンク１００は、プラスチック容器１０と、プラスチック容器１０の外表面を被覆する発泡樹脂からなる被覆層２０と、を備えている。また、プラスチック容器は、把手１３が設けられるとともに、開口（図示せず）が２つ設けられ、開口にはそれぞれ蓋１１、１２が取り付けられている。
【００２８】
ここで、開口の近傍、蓋１１、１２、及び把手１３には、発泡樹脂からなる被覆層２０が設けられていない。このため、プラスチック容器の本体部分は、図１（ａ）においては現れていない。また、蓋１１、１２、及び把手１３に被覆層２０が設けられていないため、持ち運び性や封止性が低下することがない。なお、これらに被覆層を設けてもよい。また、開口の数や把手の有無、これらの配置は、特に限定されることはない。
【００２９】
また、開口の外表面にネジ山が刻まれ、蓋１１、１２には、ネジ山と嵌合するように、ネジ溝が刻まれている。
【００３０】
プラスチック容器１０としては、特に限定されず市販のプラスチック容器を広く利用できる。また、プラスチック容器１０の材料としては、特に限定されることはないが、６０℃以上の耐熱性や−１０℃以下の耐冷性を備えていることが好ましい。例えば、ポリエチレンテレフタレート、ポリエチレン、ポリプロピレン等を好適に用いることができる。
【００３１】
被覆層２０を構成する発泡樹脂としては、特に限定されることはないが、６０℃以上の耐熱性や−１０℃以下の耐冷性を備え、プラスチック容器１０との密着性に優れることが好ましい。例えば、発泡ポリウレタンを好適に用いることができる。
【００３２】
次に、プラスチック容器１０の外表面に被覆層２０を設ける方法について説明する。図２は、ポータブル断熱タンクに用いるプラスチック容器の斜視図であり、図３は、被覆層作製工程を示す斜視図である。
【００３３】
図２、３に示すように、プラスチック容器１０の外表面に、発泡ポリウレタンスプレー３０を用いて発泡ポリウレタンからなる被覆層２０を塗着形成することができる。図３に示すように、スプレー塗着によってプラスチック容器１０から盛り上がるように被覆層２０が形成される。
【００３４】
ここで、被覆層２０の平均厚みは、保温性確保の観点から、１０ｍｍ以上であることが好ましい。また、被覆層２０の平均厚みが厚すぎると、収納性や持ち運び性が損なわれるおそれがあるので、被覆層２０の平均厚みは、３０ｍｍ以下であることが好ましい。ここで、図１（ｂ）に示すように、凹凸のある被覆層２０の場合、常に厚みが１０〜３０ｍｍである必要はない。
【００３５】
このようにして作製されるポータブル断熱タンク１００の被覆層２０は、発泡のムラ等によって、図１に示すように表面に多数の凹凸がある構造となる。この後、図４に示すように、こて４０を用いて、被覆層２０の表面ならしを行ってもよい。これにより、被覆層２０の凹凸の多い非ならし領域２１が、平坦な（凹凸の少ない）ならし領域２２となる。
【００３６】
このポータブル断熱タンク１００は、発泡樹脂からなる被覆層２０により、保温断熱作用が高められるので、被覆層の内側のプラスチック容器内部の液体を保温することが可能である。また、プラスチック容器１０や発泡樹脂からなる被覆層２０は、いずれも軽量であるので、多量のお湯を入れても容易に持ち運ぶことができる。また、プラスチック容器１０は一定の剛性を有するので、ポータブル断熱タンク１００の強度が保たれるとともに、被覆層２０によって、プラスチック容器１０の耐衝撃性を高めることができる。
【００３７】
このようなポータブル断熱タンク１００は、たとえば発泡ポリウレタンスプレーをプラスチック容器１０の表面に吹き付けることにより作製できる。すなわち、本考案によると、簡便な手法で保温性に優れた軽量なポータブル断熱タンクを実現できる。
【産業上の利用可能性】
【００３８】
以上に説明したように、本考案によると、保温性に優れた軽量なポータブル断熱タンクを提供できる。よって産業上の利用可能性は大きい。
【符号の説明】
【００３９】
１００      ポータブル断熱タンク
１０        プラスチック容器
１１、１２  蓋
１３        把手
２０        被覆層
２１        非ならし領域
２２        ならし領域
３０        発泡ポリウレタンスプレー
４０        こて
【図１】
0003180783.tif 000003
【図２】
0003180783.tif 000004
【図３】
0003180783.tif 000005
【図４】
0003180783.tif 000006